(57)【要約】【課題】光学部品の位置調整を容易に実施できるプロジェクターを提供すること。【解決手段】光源装置と、当該光源装置から出射された光を変調する光変調装置と、変調された光を投射する投射光学装置と、光源装置から出射された光の光路上に配置される第１光学部品（入射側偏光板３５２）及び第２光学部品（光学補償板３５３）と、第１光学部品を保持する第１保持部材（偏光板保持部材５１）と、第２光学部品を保持する第２保持部材（補償板保持部材５２）と、第１保持部材及び第２保持部材が取り付けられる取付部材５３と、を備え、取付部材５３は、第１保持部材が回動可能に取り付けられる第１取付部５３２と、第１取付部５３２とは反対側に位置し、第１保持部材とは独立して第２保持部材が回動可能に取り付けられる第２取付部５３３と、を有する。【選択図】図５
2014085369.tif 000002
【特許請求の範囲】
【請求項１】
光源装置と、
前記光源装置から出射された光を変調する光変調装置と、
変調された光を投射する投射光学装置と、
前記光源装置から出射された光の光路上に配置される第１光学部品及び第２光学部品と、
前記第１光学部品を保持する第１保持部材と、
前記第２光学部品を保持する第２保持部材と、
前記第１保持部材及び前記第２保持部材が取り付けられる取付部材と、を備え、
前記取付部材は、
前記第１保持部材が回動可能に取り付けられる第１取付部と、
前記第１取付部とは反対側に位置し、前記第１保持部材とは独立して前記第２保持部材が回動可能に取り付けられる第２取付部と、を有することを特徴とするプロジェクター。
【請求項２】
請求項１に記載のプロジェクターにおいて、
前記光路上に配置される他の光学部品と、
前記他の光学部品が内部に収納される光学部品用筐体と、を備え、
前記取付部材は、
前記第１取付部及び前記第２取付部を有する本体部と、
前記本体部の端部から、前記第２取付部に対して前記第１取付部が位置する側に延出する延出部と、を備え、
前記延出部には、前記取付部材を前記光学部品用筐体に固定する固定部が設けられていることを特徴とするプロジェクター。
【請求項３】
請求項２に記載のプロジェクターにおいて、
前記第１保持部材は、前記延出部に沿って延出し、前記第１保持部材を回動させる第１操作部を有し、
前記第２保持部材は、前記延出部に沿って延出し、前記第２保持部材を回動させる第２操作部を有し、
前記第１操作部は、前記延出部に形成された開口部を介して、前記第２操作部が位置する側に露出する突出部を有することを特徴とするプロジェクター。
【請求項４】
請求項１から請求項３のいずれかに記載のプロジェクターにおいて、
前記取付部材は、
前記第１保持部材の回動の中心軸に直交する幅方向の両側に位置する端部に対応する前記第１取付部における位置から、それぞれ起立する第１規制部と、
前記第２保持部材の回動の中心軸に直交する幅方向の両側に位置する端部に対応する前記第２取付部における位置から、それぞれ起立する第２規制部と、を備えることを特徴とするプロジェクター。
【請求項５】
請求項４に記載のプロジェクターにおいて、
前記第１規制部と当該第１規制部に対向する前記第１保持部材の端部のうち、一方は凸曲面を有し、他方は平面を有し、
前記第２規制部と当該第２規制部に対向する前記第２保持部材の端部のうち、一方は凸曲面を有し、他方は平面を有することを特徴とするプロジェクター。
【請求項６】
請求項５に記載のプロジェクターにおいて、
前記第１保持部材は、
前記第１光学部品が取り付けられる平板状の保持部と、
前記保持部における前記幅方向の両側の端部に設けられ、前記取付部材側に屈曲する折曲部と、を有し、
前記第１規制部は、前記折曲部に対向する面に、前記凸曲面を有し、
前記折曲部は、前記第１規制部に対向する面に、前記平面を有することを特徴とするプロジェクター。
【請求項７】
請求項１から請求項６のいずれかに記載のプロジェクターにおいて、
前記取付部材は、当該取付部材に沿って流通する空気を、当該取付部材の光束入射側及び光束出射側の少なくとも一方に配置された冷却対象に導く導風部を有することを特徴とするプロジェクター。
【請求項８】
請求項７に記載のプロジェクターにおいて、
前記光変調装置は、前記第２光学部品の光束出射側に配置され、
前記光変調装置は、
入射される光を変調する装置本体と、
前記装置本体を内部に収納するフレームと、を備え、
前記冷却対象は、前記光変調装置であり、
前記フレームは、前記空気が流通する方向における上流側の端部に形成され、当該上流側に向かうに従って、前記取付部材から離間する方向に傾斜する傾斜部を有し、
前記導風部は、前記傾斜部より前記空気の流通方向における上流側に位置し、当該傾斜部に向かって空気を導風することを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して、画像情報に応じた画像光を形成する光変調装置と、形成された画像光をスクリーン等の被投射面上に拡大投射する投射光学装置と、を備えたプロジェクターが知られている。このようなプロジェクターは、これらの他に、光源装置から光変調装置に入射される光の光路上に配置される複数の光学部品を有する。このような光学部品として、光変調装置としての液晶パネルの光束入射側に設けられる偏光板及び光学補償板を備えたプロジェクターが知られている（例えば、特許文献１参照）。
【０００３】
この特許文献１に記載のプロジェクターでは、偏光板（入射側偏光板）は偏光板用フレームにより保持され、光学補償板は補償板用フレームにより保持され、これら偏光板用フレームにより保持されている。これらのうち、偏光板用フレームは、ケーシング内に設けられた支持ベースに取り付けられ、当該偏光板用フレームに、補償板用フレームが取り付けられる。
【０００４】
ところで、これら偏光板や光学補償板には、白色と黒色とのコントラストを調整するために回転角度等の位置調整を行う必要があり、上記プロジェクターには、当該位置調整のための調整機構が設けられている。そして、当該プロジェクターでは、補償板用フレームとともに偏光板用フレームが回転されて、偏光板の位置調整が行われた後に、補償板用フレームが回転されて、光学補償板の位置調整が行われる。
【先行技術文献】
【特許文献】
【０００５】
【特許文献１】特開２００７−２９８８９３号公報
【発明の概要】
【発明が解決しようとする課題】
【０００６】
しかしながら、上記特許文献１に記載のプロジェクターでは、偏光板及び光学補償板の位置調整を行う際には、偏光板の位置調整を行った後に、光学補償板の位置調整を行う必要がある。このため、偏光板のみに位置調整を行う必要がある場合でも、偏光板用フレームの回転に合わせて補償板用フレームも回転してしまうため、更に補償板用フレームの位置調整を行う必要があり、位置調整操作が煩雑となる。
このため、それぞれを独立して位置調整可能な機構が要望されてきた。
【０００７】
本発明は、光学部品の位置調整を容易に実施できるプロジェクターを提供することを目的の一つとする。
【課題を解決するための手段】
【０００８】
本発明の一態様に係るプロジェクターは、光源装置と、前記光源装置から出射された光を変調する光変調装置と、変調された光を投射する投射光学装置と、前記光源装置から出射された光の光路上に配置される第１光学部品及び第２光学部品と、前記第１光学部品を保持する第１保持部材と、前記第２光学部品を保持する第２保持部材と、前記第１保持部材及び前記第２保持部材が取り付けられる取付部材と、を備え、前記取付部材は、前記第１保持部材が回動可能に取り付けられる第１取付部と、前記第１取付部とは反対側に位置し、前記第１保持部材とは独立して前記第２保持部材が回動可能に取り付けられる第２取付部と、を有することを特徴とする。
【０００９】
なお、第１光学部品及び第２光学部品としては、偏光板、光学補償板、及び、位相差板を例示できる。
上記一態様によれば、取付部材の第１取付部に、第１保持部材が回動可能に取り付けられ、取付部材において第１取付部とは反対側に位置する第２取付部に、第１保持部材とは独立して第２保持部材が回動可能に取り付けられる。これによれば、第１光学部品を保持する第１保持部材と、第２光学部品を保持する第２保持部材とを、取付部材に対してそれぞれ独立して位置調整可能に取り付けることができる。従って、第１光学部品及び第２光学部品の一方を位置調整する際に他方が動いてしまう場合に比べて、これら第１光学部品及び第２光学部品の位置調整を容易に実施できる。
【００１０】
上記一態様では、前記光路上に配置される他の光学部品と、前記他の光学部品が内部に収納される光学部品用筐体と、を備え、前記取付部材は、前記第１取付部及び前記第２取付部を有する本体部と、前記本体部の端部から、前記第２取付部に対して前記第１取付部が位置する側に延出する延出部と、を備え、前記延出部には、前記取付部材を前記光学部品用筐体に固定する固定部が設けられていることが好ましい。
【００１１】
上記一態様によれば、取付部材の延出部には、当該取付部材を光学部品用筐体の外面に固定する固定部が設けられている。これによれば、他の光学部品が収納された光学部品用筐体に取付部材を固定することで、当該光学部品用筐体に後付けで第１光学部品及び第２光学部品を位置調整可能に取り付けることができる。従って、光学部品用筐体内に取付部材を設ける場合に比べ、プロジェクターの製造工程を簡略化できる。
【００１２】
ここで、取付部材が光学部品用筐体の内部に設けられている場合、第１光学部品及び第２光学部品の少なくともいずれかを交換する際には、当該光学部品用筐体を分解し、取付部材を取り出した後に、各保持部材を取り外す必要がある。このような場合には、光学部品の交換作業が煩雑である。
これに対し、上記一態様によれば、光学部品用筐体の外面に取り付けられた取付部材を他の取付部材に交換するか、或いは、当該取付部材を取り外した上で、対応する保持部材を交換し、当該取付部材を光学部品用筐体に再度取り付けることで、第１光学部品及び第２光学部品の少なくともいずれかを交換できる。従って、第１光学部品及び第２光学部品の交換作業を容易に実施できる。
【００１３】
上記一態様では、前記第１保持部材は、前記延出部に沿って延出し、前記第１保持部材を回動させる第１操作部を有し、前記第２保持部材は、前記延出部に沿って延出し、前記第２保持部材を回動させる第２操作部を有し、前記第１操作部は、前記延出部に形成された開口部を介して、前記第２操作部が位置する側に露出する突出部を有することが好ましい。
【００１４】
上記一態様によれば、第１操作部と、第２操作部に設けられた突出部とは、取付部材の延出部において同じ側に位置する。これによれば、第１保持部材及び第２保持部材の回動操作を、それぞれ延出部に対する同じ側で実施できる。従って、これら第１保持部材及び第２保持部材の位置調整操作を容易に実施できる。
【００１５】
上記一態様では、前記取付部材は、前記第１保持部材の回動の中心軸に直交する幅方向の両側に位置する端部に対応する前記第１取付部における位置から、それぞれ起立する第１規制部と、前記第２保持部材の回動の中心軸に直交する幅方向の両側に位置する端部に対応する前記第２取付部における位置から、それぞれ起立する第２規制部と、を備えることが好ましい。
【００１６】
上記一態様によれば、第１規制部及び第２規制部が取付部材における上記部位に設けられている。これによれば、当該第１規制部及び第２規制部により、第１保持部材及び第２保持部材が回動せずに、第１取付部及び第２取付部に沿って平行移動してしまうことを規制できる。従って、第１保持部材及び第２保持部材を回動させやすくすることができ、第１光学部品及び第２光学部品の位置調整操作を容易に実施できる。
【００１７】
上記一態様では、前記第１規制部と当該第１規制部に対向する前記第１保持部材の端部のうち、一方は凸曲面を有し、他方は平面を有し、前記第２規制部と当該第２規制部に対向する前記第２保持部材の端部のうち、一方は凸曲面を有し、他方は平面を有することが好ましい。
【００１８】
なお、凸曲面は、例えば、中央部分が膨出した円弧を例示できる。
ここで、第１規制部と第１保持部材の上記部位とがそれぞれ平面を有する場合、当該第１保持部材の回動に伴って当該第１規制部及び第１保持部材が互いに当接されると、当該第１保持部材の回動が規制されてしまう。これは、第２規制部と第２保持部材の上記部位とがそれぞれ平面を有する場合も同様である。
一方、第１規制部と第１保持部材の上記部位とがそれぞれ凸曲面を有する場合には、当該第１保持部材の回動時に、当該第１規制部と第１保持部材の上記部位とが滑ってしまい、第１保持部材を安定して回動させることが難しくなる。第２規制部と第２保持部材の上記部位とがそれぞれ凸曲面を有する場合も同様である。
他方、第１規制部と第１保持部材の上記部位との一方が凸曲面を有し、他方が凹曲面を有すると、当該第１保持部材の上記平行移動を防止しつつ、当該第１保持部材の回動を実施しやすくすることができる。しかしながら、この場合には、第１規制部及び第１保持部材の形成が煩雑となる。第２規制部と第２保持部材の上記部位との一方が凸曲面を有し、他方が凹曲面を有する場合も同様である。
【００１９】
これに対し、第１規制部と第１保持部材の上記部位との一方が凸曲面を有し、他方が平面を有することにより、これらが互いに当接した場合に、凸曲面部分に沿って平面部分が円滑に移動するので、第１保持部材を回動させやすくすることができる。また、このような第１規制部及び第１保持部材の形成は、一方が凸曲面を有し、他方が凹曲面を有する場合に比べて容易である。従って、第１保持部材の前述の平行移動を防止しつつ、当該第１保持部材の回動を実施しやすくすることができる。
第２規制部と第２保持部材の上記部位との一方が凸曲面を有し、他方が平面を有することによっても、第２保持部材に対して同様の効果を得ることができる。
【００２０】
上記一態様では、前記第１保持部材は、前記第１光学部品が取り付けられる平板状の保持部と、前記保持部における前記幅方向の両側の端部に設けられ、前記取付部材側に屈曲する折曲部と、を有し、前記第１規制部は、前記折曲部に対向する面に、前記凸曲面を有し、前記折曲部は、前記第１規制部に対向する面に、前記平面を有することが好ましい。
【００２１】
ここで、第１保持部材が板金を折曲加工することで形成されている場合、当該折曲加工により形成される折曲部において第１規制部と対向する面を、凸曲面とすることは難しい。また、当該面を凸曲面とした場合では、凸曲面の精度が高くない。
これに対し、第１規制部において折曲部に対向する面を凸曲面とすることで、凸曲面の精度を高めることができる。また、折曲部において第１規制部に対向する面を平面とすることで、上記のように、第１保持部材の回動を実施しやすくすることができる。従って、当該第１保持部材の回動を安定して実施できる。
【００２２】
また、第１保持部材が折曲部を有することにより、第１取付部、各折曲部及び保持部により囲まれた空間内に、第１光学部品を冷却する空気が流通する流路を形成できる。これによれば、当該流路に空気を流通させることで、第１光学部品に効果的に空気を送風できる。従って、第１光学部品を効果的に冷却できる。
【００２３】
上記一態様では、前記取付部材は、当該取付部材に沿って流通する空気を、当該取付部材の光束入射側及び光束出射側の少なくとも一方に配置された冷却対象に導く導風部を有することが好ましい。
上記一態様によれば、取付部材に沿って流通する空気を、導風部により、冷却対象に導くことができるので、当該冷却対象の冷却効率を高めることができる。
【００２４】
上記一態様では、前記光変調装置は、前記第２光学部品の光束出射側に配置され、前記光変調装置は、入射される光を変調する装置本体と、前記装置本体を内部に収納するフレームと、を備え、前記冷却対象は、前記光変調装置であり、前記フレームは、前記空気が流通する方向における上流側の端部に形成され、当該上流側に向かうに従って、前記取付部材から離間する方向に傾斜する傾斜部を有し、前記導風部は、前記傾斜部より前記空気の流通方向における上流側に位置し、当該傾斜部に向かって空気を導風することが好ましい。
【００２５】
なお、光変調装置としては、液晶パネルを例示でき、この場合には、装置本体は、一対の透光性基板間に液晶素子が封入されたパネル本体である。
ここで、光変調装置は、光源装置から入射される光を変調する構成であるので、高温になりやすい一方、熱に弱い装置である。このため、当該光変調装置を冷却する必要があり、一般的には、冷却空気を送風することで当該光変調装置の冷却が行われる。
【００２６】
しかしながら、ダクトを介してファンから送出された空気を光変調装置に送風する場合、送風方向が適切に設定されていないと、光変調装置に対して適切に空気が流通しない。また、当該ダクトの送出口から光変調装置までの間の距離が長くなると、送風方向が適切に設定されている場合でも、当該光変調装置に適切に空気を送出できない場合がある。更に、光変調装置の端部に送出された空気は、当該端部にて分断される。これら空気は、下流側に向かうに従って光変調装置から離れてしまい、光変調装置全体が冷却されないという問題がある。
【００２７】
これに対し、上記一態様によれば、光変調装置に比較的近い位置で、導風部により、当該光変調装置に空気を導風できる。これによれば、空気を効果的に光変調装置に当てることができる他、取付部材に向かって流通した空気も光変調装置に導くことができるので、送風量を多くすることができる。従って、光変調装置の冷却効率を向上できる。
特に、導風部により導風された空気は、フレームに形成された傾斜部に向かって流通する。これによれば、当該空気を、当該フレームにおける空気の上流側の端部にて分断された空気のうち、第２光学部品側を流通する一部の空気に衝突させて、当該一部の空気及び導風された空気を、光変調装置の光束入射側の面に沿って流通させることができる。従って、光変調装置をより効果的に冷却できる。
【図面の簡単な説明】
【００２８】
【図１】本発明の一実施形態に係るプロジェクターの構成を示す模式図。
【図２】前記実施形態における液晶パネルを示す斜視図。
【図３】前記実施形態における光学部品用筐体を示す斜視図。
【図４】前記実施形態における固定部材を光束入射側から見た斜視図。
【図５】前記実施形態における固定部材を光束入射側から見た分解斜視図。
【図６】前記実施形態における固定部材を光束出射側から見た斜視図。
【図７】前記実施形態における固定部材を光束出射側から見た分解斜視図。
【図８】前記実施形態における固定部材を光束入射側から見た図。
【図９】前記実施形態における固定部材を光束出射側から見た図。
【図１０】前記実施形態における固定部材及び光変調装置に送風される空気の流れを示す図。
【発明を実施するための形態】
【００２９】
図１は、本実施形態に係るプロジェクター１の構成を示す模式図である。
本実施形態に係るプロジェクター１は、後述する光源装置３１から出射された光を画像情報に応じて変調し、変調された光をスクリーン等の被投射面上に拡大投射することで、当該被投射面上に画像を表示する。このようなプロジェクター１は、図１に示すように、外装筐体２と、当該外装筐体２内に収納される光学ユニット３及び冷却装置９（図８参照）と、を備える。この他、図示を省略するが、プロジェクター１は、当該プロジェクター１を制御する制御装置、及び、当該プロジェクター１を構成する電子部品に電力を供給する電源装置を備える。
【００３０】
［光学ユニットの構成］
光学ユニット３は、制御装置から入力される駆動信号（画像情報）に応じた画像を形成及び投射する。この光学ユニット３は、光学部品用筐体４と、当該光学部品用筐体４に支持される光源装置３１、各種光学装置３２〜３５及び投射レンズ３６を備える。
【００３１】
光源装置３１は、光源ランプ３１１及びリフレクター３１２と、これら光源ランプ３１１及びリフレクター３１２を内部に収納するハウジング３１３と、当該ハウジング３１３に形成された光透過用の開口を閉塞する平行化レンズ３１４と、を有する。このような光源装置３１は、照明光学装置３２に光束を出射する。
照明光学装置３２は、光源装置３１から出射された光束の中心軸に対する直交面内の照度を均一化する。この照明光学装置３２は、入射される光束を複数の部分光束に分割する一対のレンズアレイ３２１，３２２と、入射される光の偏光方向を一種類に揃える偏光変換素子３２３と、入射される複数の部分光束をレンズアレイ３２２とともに後述する液晶パネル３５４の画像形成領域に重畳させる重畳レンズ３２４を有する。
【００３２】
色分離光学装置３３は、照明光学装置３２から入射される光束を、赤（Ｒ）、緑（Ｇ）及び青（Ｂ）の３つの色光に分離する。この色分離光学装置３３は、赤色光及び緑色光を透過させ、青色光を反射させるダイクロイックミラー３３１と、赤色光を透過させ、緑色光を反射させるダイクロイックミラー３３２と、反射された青色光を青色光用のフィールドレンズ３５１に導く反射ミラー３３３と、を有する。
リレー光学装置３４は、分離された３つの色光のうち、赤色光の光路上に設けられ、当該赤色光を赤色光用のフィールドレンズ３５１に導く。このリレー光学装置３４は、入射側レンズ３４１、リレーレンズ３４３及び反射ミラー３４２，３４４を有する。このリレー光学装置３４は、分離された赤色光の光路（液晶パネル３５４に到達するまでの光路）が、他の色光の光路に比べて長いため、当該赤色光の損失を抑制するものである。
【００３３】
電気光学装置３５は、分離された各色光を変調した後、変調された各色光を合成して画像光を形成する。この電気光学装置３５は、それぞれ色光ごとに設けられる３つのフィールドレンズ３５１、３つの入射側偏光板３５２、３つの光学補償板３５３、光変調装置としての３つの液晶パネル３５４、及び、３つの出射側偏光板３５５と、変調された各色光を合成する色合成光学装置としてのクロスダイクロイックプリズム３５６と、を有する。
これらのうち、３つの液晶パネル３５４、３つの出射側偏光板３５５及びプリズム３５６は、ユニット化されている。また、入射側偏光板３５２及び光学補償板３５３は、入射される色光ごとに固定部材５に取り付けられる。すなわち、光学ユニット３には、３つの固定部材５が設けられる。なお、固定部材５の詳しい構成については、後に詳述する。
【００３４】
図２は、液晶パネル３５４を光束入射側から見た斜視図である。
液晶パネル３５４は、図２に示すように、一対の透光性基板間に液晶素子を封入したパネル本体３５４１と、当該パネル本体３５４１を内部に収納するフレーム３５４２と、パネル本体３５４１及び前述の制御装置の間を接続するフレキシブルプリント基板３５４９と、を有する。このパネル本体３５４１は、本実施形態における装置本体に相当する。
【００３５】
フレーム３５４２は、熱伝導性を有する金属により形成されている。このフレーム３５４２には、光束入射側及び光束出射側の端面に略矩形の開口部３５４３（光束出射側の開口部は図示省略）が形成されている。そして、光束入射側の開口部３５４３を透過した光がパネル本体３５４１の画像形成領域ＡＲに入射され、当該パネル本体３５４１を透過した光は、光束出射側の開口部を介して、出射側偏光板３５５に入射される。
光束入射側から見てフレーム３５４２の四隅には、電気光学装置３５をユニット化する際に液晶パネル３５４を支持する支持部材（図示省略）に当該フレーム３５４２を固定するねじが挿通される孔部３５４４が形成されている。
【００３６】
また、フレーム３５４２において、フレキシブルプリント基板３５４９が延出する側とは反対側の端部には、傾斜部３５４５が形成されている。具体的に、傾斜部３５４５は、開口部３５４３（パネル本体３５４１）に向かうに従って、光束入射側に位置する光学補償板３５３に近づくように傾斜している。換言すると、傾斜部３５４５は、当該傾斜部３５４５における厚さ寸法（照明光軸に沿う寸法）が当該反対側の端部に向かうに従って小さくなるように形成されている。このような傾斜部３５４５には、後述する取付部材５３の導風部５３５（図８参照）によって空気が導かれる。
【００３７】
図１に戻り、投射レンズ３６は、プリズム３５６により合成された光束（画像光）を前述の被投射面上に拡大投射する投射光学装置である。このような投射レンズ３６としては、例えば、鏡筒と、当該鏡筒内に収納配置される複数のレンズとを備えた組レンズが挙げられる。
【００３８】
［光学部品用筐体の構成］
図３は、光学部品用筐体４を示す斜視図である。
光学部品用筐体４は、内に設定された照明光軸Ａｘに対する所定位置に、上記光源装置３１、照明光学装置３２、色分離光学装置３３及びリレー光学装置３４を保持する合成樹脂製又は金属製の筐体である。このような光学部品用筐体４は、図３に示すように、光源装置３１及び上記光学装置３２〜３４を収納する部品収納部材４１と、当該部品収納部材４１に取り付けられる蓋状部材４２と、を備える。すなわち、光学装置３２〜３４を構成する各光学部品が、本発明の他の光学部品に相当する。
【００３９】
部品収納部材４１は、本体部４１１と、当該本体部４１１の一端に形成された光源収納部４１２と、当該本体部４１１の他端に形成されたレンズ支持部４１３と、を有する平面視略Ｌ字状に形成されている。
本体部４１１における他端側には、電気光学装置３５が配置される平面視矩形状の空間Ｓが形成されている。また、本体部４１１には、図示を省略するが、上記光学装置３２〜３４を構成する光学部品及びフィールドレンズ３５１が挿入される複数の溝が形成されており、当該溝に光学部品を挿入するための開口部４１１１が、上端面に形成されている。
【００４０】
光源収納部４１２は、箱状に形成されている。この光源収納部４１２における本体部４１１とは反対側の面には、ハウジング３１３を内部に収納するための開口部４１２１が形成されている。また、当該光源収納部４１２における左右の側面には、内部に収納された光源装置３１に冷却空気を導入及び排出するための開口部４１２２，４１２３が形成されている。
このような光源収納部４１２に収納された光源装置３１から出射された光束の中心軸は、前述の照明光軸Ａｘと一致する。
レンズ支持部４１３は、前述の空間Ｓを囲む一部の構成であり、外装筐体２内に固定されたレンズ固定部材（図示省略）に固定された投射レンズ３６を支持する。
【００４１】
蓋状部材４２は、本体部４１１にねじ固定され、前述の開口部４１１１の一部を閉塞する。この蓋状部材４２における前述の空間Ｓの外縁近傍の位置には、後述する固定部材５が取り付けられる３つの取付部４２１がそれぞれ設けられている。
これら取付部４２１は、固定部材５を挿通したねじＳＣが取り付けられるねじ穴（図示省略）と、当該ねじ穴を挟むように配置され、固定部材５の位置決めを行う一対のピン４２２と、を有する。
【００４２】
［固定部材の構成］
図４及び図５は、固定部材５を光束入射側から見た斜視図及び分解斜視図である。また、図６及び図７は、固定部材５を光束出射側から見た斜視図及び分解斜視図である。
固定部材５は、第１光学部品としての入射側偏光板３５２、及び、第２光学部品としての光学補償板３５３を、照明光軸Ａｘを中心として回動可能に保持するとともに、前述の蓋状部材４２に固定されるものである。このような固定部材５は、図４〜図７に示すように、入射側偏光板３５２を保持する偏光板保持部材５１と、光学補償板３５３を保持する補償板保持部材５２と、取付部材５３と、２つの挟持部材５４と、を備える。
なお、以下の説明では、固定部材５に対する光の進行方向をＺ方向とする。また、当該Ｚ方向に直交する方向のうち、下から上に向かう方向をＹ方向とし、Ｚ方向基端側から見て左から右に向かう方向をＸ方向とする。
【００４３】
［偏光板保持部材の構成］
偏光板保持部材５１は、板金を折曲加工して形成された側面視略Ｌ字状の金属製部材であり、取付部材５３においてＺ方向基端側に位置する第１取付部５３２に取り付けられる。この偏光板保持部材５１は、図４〜図７に示すように、ＸＹ平面に沿って入射側偏光板３５２を保持する保持部５１１と、当該保持部５１１におけるＹ方向先端部からＺ方向基端側に向かって延出する操作部５１２とを備える。
【００４４】
図８は、固定部材５を光束入射側（Ｚ方向基端側）から見た図であり、主に偏光板保持部材５１を示す図である。
保持部５１１は、図８に示すように、Ｚ方向基端側から見てＹ方向が長手方向となる長方形状に形成されている。この保持部５１１における略中央には、保持された入射側偏光板３５２に光を透過させる矩形状の開口部５１１１が形成されている。この開口部５１１１を形成する端縁には、入射側偏光板３５２を係止する複数の係止部５１１２が設けられている。具体的に、当該端縁のうち、Ｙ方向先端側（＋Ｙ方向側）の端縁の略中央に１つの係止部５１１２が設けられ、Ｙ方向基端側（−Ｙ方向側）の端縁におけるＸ方向両端近傍に、それぞれ係止部５１１２が設けられている。これら係止部５１１２により、保持部５１１における光束出射側に配置された入射側偏光板３５２が内向きに係止される。
【００４５】
保持部５１１におけるＸ方向両端部には、図４及び図５に示すように、Ｚ方向先端側（＋Ｚ方向側）に向けて折り曲げられた折曲部５１１３が形成されている。この折曲部５１１３におけるＹ方向及びＺ方向の寸法は、係止された入射側偏光板３５２を覆う程度の寸法に設定されている。
また、各折曲部５１１３のＹ方向略中央には、更にＺ方向先端側に突出する突出部５１１４がそれぞれ形成されている。これら突出部５１１４の形成位置は、Ｚ方向基端側（−Ｚ方向側）から偏光板保持部材５１を見た際に、Ｘ方向に沿い、かつ、偏光板保持部材５１の回動の中心点（中心軸）Ｃ１を通る直線上の位置である。これら突出部５１１４は、取付部材５３の後述する第１規制部５３２５と対向し、これにより、偏光板保持部材５１のＸ方向への平行移動が防止される。
【００４６】
保持部５１１におけるＹ方向先端側には、図４、図５及び図８に示すように、当該保持部５１１を貫通する円弧状のガイド孔５１１５が、Ｘ方向の両端近傍に線対称にそれぞれ形成されている。これらガイド孔５１１５には、偏光板保持部材５１が取付部材５３に取り付けられるときに、当該取付部材５３のピン５３２３が挿入され、これにより、偏光板保持部材５１の回動が案内される。
【００４７】
操作部５１２は、本発明の第１操作部に相当する。この操作部５１２は、取付部材５３の後述する延出部５３６に対してＹ方向基端側に位置し、当該延出部５３６に沿って保持部５１１のＹ方向先端側端部からＺ方向基端側に延出する。このような操作部５１２は、図４及び図５に示すように、当該保持部５１１から延出するＵ字状部５１２１と、Ｚ方向基端側に位置する曲面部５１２３と、Ｕ字状部５１２１及び曲面部５１２３を接続する接続部５１２５とを有する。
Ｕ字状部５１２１の略中央には、保持部５１１に跨る開口部５１２２が形成されている。この開口部５１２２内には、取付部材５３に偏光板保持部材５１を回動可能に挟持する挟持部材５４が配置される。
【００４８】
曲面部５１２３は、図８に示すように、Ｚ方向基端側から見てＹ方向先端側の面５１２３Ａが凸曲面状、すなわち、円弧状に形成されている。この面５１２３Ａは、取付部材５３の後述する凹曲面部５３６３に対向する。このような曲面部５１２３は、偏光板保持部材５１の回動を妨げないようにするための部位である。
また、曲面部５１２３におけるＸ方向先端側の端部には、図４、図５及び図８に示すように、Ｙ方向先端側に突出する突出部５１２４が設けられている。この突出部５１２４は、取付部材５３の後述する開口部５３６４を介して当該取付部材５３のＹ方向先端側に露出する。そして、取付部材５３に偏光板保持部材５１が取り付けられた際には、Ｙ方向先端側に露出した突出部５１２４がＸ方向に沿って移動されることで、偏光板保持部材５１がＺ方向を中心として回動され、ひいては、入射側偏光板３５２が回動される。
【００４９】
［補償板保持部材の構成］
補償板保持部材５２は、前述のように、光学補償板３５３を保持した状態で、取付部材５３においてＺ方向先端側に位置する第２取付部５３３に取り付けられる。この補償板保持部材５２は、偏光板保持部材５１と同様に、板金を折曲加工して形成された側面視略Ｌ字状の金属製部材である。このような補償板保持部材５２は、図４〜図７に示すように、ＸＹ平面に沿って光学補償板３５３を保持する保持部５２１と、当該保持部５２１におけるＹ方向先端部からＺ方向基端側に向かって延出する操作部５２２とを備える。このような補償板保持部材５２は、保持部５２１におけるＸ方向両端縁の形状が異なる他は、偏光板保持部材５１と略同様の構成を有する。
【００５０】
図９は、固定部材５を光束出射側（Ｚ方向先端側）から見た図であり、主に補償板保持部材５２を示す図である。
具体的に、保持部５２１は、図９に示すように、Ｚ方向先端側から見てＹ方向が長手方向となる長方形状に形成されている。この保持部５２１における略中央には、矩形状の開口部５２１１（図５参照）が形成され、当該開口部５２１１の端縁には、Ｙ方向先端側に１つ、Ｙ方向基端側に２つ、Ｘ方向先端側（＋Ｘ方向側）に２つの係止部５２１２が設けられている。これら係止部５２１２により、保持部５２１のＺ方向先端側の端面に光学補償板３５３が係止される。
【００５１】
また、保持部５２１におけるＹ方向先端側には、当該保持部５２１を貫通する円弧状のガイド孔５２１３が、Ｘ方向の両端近傍に線対称にそれぞれ形成されている。これらガイド孔５１１５には、取付部材５３のピン５３３２が挿入され、これにより、補償板保持部材５２の回動が案内される。
【００５２】
更に、保持部５２１におけるＸ方向両端縁には、Ｙ方向略中央部分に円弧状部５２１４がそれぞれ形成されている。すなわち、保持部５２１における各円弧状部５２１４の形成位置は、Ｚ方向先端側から補償板保持部材５２を見たときに、Ｘ方向に沿い、かつ、補償板保持部材５２の回動の中心点Ｃ２を通る直線上の位置である。これら円弧状部５２１４は、取付部材５３の後述する第２規制部５３３３と対向し、これにより、補償板保持部材５２のＸ方向への平行移動が防止される。
なお、当該円弧状部５２１４は、Ｚ方向先端側から見て中央部分が外側（±Ｘ方向）に突出する円弧状に形成されており、第２規制部５３３３と当接されることにより、補償板保持部材５２の回動が妨げられることがないように構成されている。
【００５３】
操作部５２２は、本発明の第２操作部に相当する。この操作部５２２は、図６、図７及び図９に示すように、取付部材５３の後述する延出部５３６に対してＹ方向先端側に位置し、当該延出部５３６に沿って保持部５２１のＹ方向先端側の端部からＺ方向基端側に延出している。このような操作部５２２は、保持部５２１から延出するＵ字状部５２２１と、Ｚ方向先端側に位置する曲面部５２２３と、Ｕ字状部５２２１及び曲面部５２２３を接続する接続部５２２５とを有する。
Ｕ字状部５２２１の中央には、Ｕ字状部５１２１と同様の矩形状の開口部５２２２が形成されており、当該開口部５２２２内に、取付部材５３の本体部５３１と補償板保持部材５２とを挟持する挟持部材５４が配置される。
【００５４】
曲面部５２２３は、Ｚ方向先端側から見てＹ方向基端側の面５２２３Ａが、凹曲面状、すなわち、円弧状に形成されている。この面５２２３Ａは、取付部材５３の後述する凸曲面部５３６２に対向する。このような曲面部５２２３は、補償板保持部材５２の回動を妨げないようにするための部位である。
また、曲面部５２２３におけるＸ方向基端側（−Ｘ方向側）の端部には、Ｙ方向先端側に突出する突出部５２２４が設けられている。この突出部５２２４をＸ方向に沿って移動させることで、取付部材５３に保持された補償板保持部材５２、ひいては、光学補償板３５３を、Ｚ方向（照明光軸Ａｘ）を中心として回動させることができる。
【００５５】
［取付部材の構成］
取付部材５３は、前述のように、偏光板保持部材５１及び補償板保持部材５２をＺ方向（照明光軸Ａｘ）を中心としてそれぞれ独立して回動可能に支持するとともに、前述の取付部４２１に取り付けられる部材である。具体的に、当該取付部材５３は、図５及び図７に示すように、側面視略Ｌ字状に形成された合成樹脂製の一体成形品である。このような取付部材５３は、ＸＹ平面に沿う板状の本体部５３１と、当該本体部５３１におけるＹ方向先端部からＺ方向基端側に延出する延出部５３６と、を備える。
【００５６】
本体部５３１は、当該本体部５３１におけるＺ方向基端側に位置する第１取付部５３２と、Ｚ方向先端側に位置する第２取付部５３３と、当該本体部５３１をＺ方向に沿って貫通する開口部５３４と、導風部５３５と、を有する。
【００５７】
第１取付部５３２は、偏光板保持部材５１を支持する。この第１取付部５３２におけるＹ方向先端側の端部には、図５に示すように、Ｚ方向基端側に突出する突出部５３２１が形成されている。この突出部５３２１におけるＺ方向基端側の端面は、偏光板保持部材５１が回動可能に当接される第１摺動面５３２２である。すなわち、偏光板保持部材５１は、第１摺動面５３２２に沿って摺動しつつ回動される。この第１摺動面５３２２には、一対のピン５３２３が突設されており、当該ピン５３２３は、偏光板保持部材５１に形成された前述のガイド孔５１１５に挿入される。
【００５８】
また、突出部５３２１には、Ｙ方向に貫通する貫通孔５３２４が形成されている。この貫通孔５３２４におけるＺ方向基端側の端縁と、偏光板保持部材５１とを挟むように、挟持部材５４が取り付けられる。なお、図示を省略するが、貫通孔５３２４内には、当該挟持部材５４を係止する突起が設けられている。
このような貫通孔５３２４は、後に詳述するが、Ｙ方向基端側から流通する空気を外部に排出する排気口としても機能する。
【００５９】
また、第１取付部５３２のＸ方向両端部におけるＹ方向略中央には、図５及び図８に示すように、第１規制部５３２５がそれぞれ形成されている。これら第１規制部５３２５は、取付部材５３に取り付けられた偏光板保持部材５１の各突出部５１１４に応じた位置にそれぞれ形成されている。すなわち、第１取付部５３２において、Ｘ方向に沿い、かつ、前述の中心点Ｃ１を通る直線上の位置に、各第１規制部５３２５は設けられている。換言すると、各第１規制部５３２５は、第１取付部材５３２において、中心点Ｃ１を通る照明光軸Ａｘに直交する方向のうち幅方向に相当するＸ方向における偏光板保持部材５１の両側に位置する端部に対応する位置から起立している。
このような第１規制部５３２５において互いに対向する面、すなわち、対応する突出部５１１４に対向する面は、Ｚ方向基端側から見て、中央部分が膨出した凸曲面状に形成されている。このような凸曲面を有する第１規制部５３２５と、平面状の突出部５１１４とにより、取付部材５３に取り付けられた偏光板保持部材５１の回動が妨げられることが抑制されている。
【００６０】
なお、第１摺動面５３２２と、第１規制部５３２５が形成された面とが同一平面上に位置しないのは、当該第１摺動面５３２２に当接される偏光板保持部材５１の面から一対の折曲部５１１３がＺ方向先端側に延出しており、当該一対の折曲部５１１３の内側に入射側偏光板３５２が配置されていることから、折曲部５１１３及び突出部５１１４の寸法を吸収する必要があるためである。
また、折曲部５１１３及び突出部５１１４を凸曲面状とせず、第１規制部５３２５の面を凸曲面状とするのは、当該折曲部５１１３が板金を折曲加工することで形成されており、当該折曲部５１１３及び突出部５１１４を円弧状とするより、射出成型等により製造される取付部材５３の第１規制部５３２５を凸曲面状とするほうが、凸曲面の精度を高めることができるためである。
【００６１】
第２取付部５３３は、偏光板保持部材５１とは独立して、補償板保持部材５２が回動可能に取り付けられる。この第２取付部５３３の面、すなわち、本体部５３１におけるＺ方向先端側の面は、補償板保持部材５２が回動可能に当接される第２摺動面５３３１である。すなわち、補償板保持部材５２は、第２摺動面５３３１に沿って摺動しつつ回動される。この第２摺動面５３３１におけるＹ方向先端側の領域には、Ｘ方向両端近傍に、ガイド孔５２１３に挿入されるピン５３３２がそれぞれ形成されている。
【００６２】
また、第２取付部５３３のＸ方向両端部におけるＹ方向略中央には、補償板保持部材５２の円弧状部５２１４に対向する第２規制部５３３３がそれぞれ形成されている。すなわち、第２取付部５３３において、Ｘ方向に沿い、かつ、前述の中心点Ｃ２を通る直線上の位置に、各第２規制部５３３３は設けられている。換言すると、各第２規制部５３３３は、第２取付部材５３３において、中心点Ｃ２を通る照明光軸Ａｘに直交する方向のうち幅方向に相当するＸ方向における補償板保持部材５２の両側に位置する端部に対応する位置から起立している。
このような第２規制部５３３３において互いに対向する面、すなわち、対応する円弧状部５２１４に対向する面は、平面状に形成されている。このような平面状の第２規制部５３３３と、円弧状部５２１４とにより、取付部材５３に取り付けられた補償板保持部材５２の回動が妨げられることが抑制されている。
【００６３】
なお、前述の、取付部材５３における凸曲面を有する第１規制部５３２５と、偏光板保持部材５１における平面状の突出部５１１４とは逆に、補償板保持部材５２に円弧状部５２１４を設け、第２取付部５３３に平面状の第２規制部５３３３を設けたのは、板状の補償板保持部材５２に対して精度の高い円弧部（凸曲面）を形成できるためである。しかしながら、これに限らず、補償板保持部材５２に円弧状部５２１４を設けず、第２規制部５３３３における補償板保持部材５２に対向する面を円弧状（凸曲面状）に形成してもよい。
【００６４】
開口部５３４は、図５及び図７に示すように、偏光板保持部材５１により保持された入射側偏光板３５２を透過した光を、補償板保持部材５２により保持された光学補償板３５３に入射させる。この開口部５３４は、当該光の透過領域より大きな矩形状に形成されている。
導風部５３５は、後述する冷却装置９により送風され、Ｙ方向基端側からＹ方向先端側に向かって流通する空気を、光学補償板３５３の光束出射側に位置する液晶パネル３５４に導く。この導風部５３５の構成、及び、当該導風部５３５により導かれる空気の流通方向については、後に詳述する。
【００６５】
延出部５３６は、前述のように、本体部５３１におけるＹ方向先端部からＺ方向基端側に延出する部分であり、板状に形成されている。
この延出部５３６におけるＺ方向先端側の部位には、図５及び図７に示すように、Ｙ方向先端側から見て略長方形状の開口部５３６１が形成されている。この開口部５３６１を形成する端縁のうち、Ｚ方向先端側の端縁は、本体部５３１により形成されており、当該Ｚ方向先端側の端縁と補償板保持部材５２とを挟むように、挟持部材５４が取り付けられる。なお、当該本体部５３１におけるＺ方向基端側の端面、すなわち、第１取付部５３２には、当該挟持部材５４を係止する突起が形成され、当該突起は、挟持部材５４に形成された開口部５４１（図５参照）に挿入される。
【００６６】
延出部５３６のＹ方向先端側の端面５３６Ａには、開口部５３６１からＺ方向基端側の位置に、図７に示すように、曲面部５２２３における凸曲面である面５２２３Ａと対向される凸曲面部５３６２が形成されている。この凸曲面部５３６２は、補償板保持部材５２の回動方向に沿う凸状の円弧状曲面である。これら凸曲面部５３６２及び曲面部５２２３により、補償板保持部材５２の回動が妨げられることなく円滑に行われる。
【００６７】
一方、延出部５３６のＹ方向基端側の端面５３６Ｂには、開口部５３６１からＺ方向基端側の位置に、図５に示すように、曲面部５１２３における凹曲面である面５１２３Ａと対向される凹曲面部５３６３が形成されている。この凹曲面部５３６３は、偏光板保持部材５１の回動方向に沿う凹状の円弧状曲面であり、当該凹曲面部５３６３の形成位置は、端面５３６Ｂとは反対側の端面５３６Ａに形成された凸曲面部５３６２の形成位置に対応する。このような凹曲面部５３６３及び曲面部５２２３により、偏光板保持部材５１の回動が妨げられることなく円滑に行われる。
【００６８】
なお、凸曲面部５３６２と面５２２３Ａとは必ずしも常時当接してなくてもよく、補償板保持部材５２の回動を妨げないように、曲面部５２２３の軌跡に沿った凸曲面部５３６２が形成されていればよい。同様に、凹曲面部５３６３と面５１２３Ａとは必ずしも常時当接していなくてもよく、偏光板保持部材５１の回動を妨げないように、曲面部５１２３の軌跡に沿った凹曲面部５３６３が形成されていればよい。
【００６９】
また、延出部５３６において、凸曲面部５３６２よりＺ方向基端側には、偏光板保持部材５１の突出部５１２４が挿通する開口部５３６４が、当該延出部５３６をＹ方向に沿って貫通するように形成されている。この開口部５３６４を挿通した突出部５１２４と、補償板保持部材５２の突出部５２２４とは、延出部５３６において同じ側（すなわち、Ｙ方向先端側）に露出する。このため、当該突出部５１２４，５２２４に対する操作、すなわち、偏光板保持部材５１及び補償板保持部材５２の回動操作が実施しやすくなっている。
【００７０】
更に、延出部５３６において、開口部５３６４よりＺ方向基端側には、前述のねじＳＣ（図３参照）が挿通する孔部５３６６と、当該孔部５３６６をＸ方向において挟む一対の孔部５３６７とを有する固定部５３６５が設けられている。これらのうち、一対の孔部５３６７に前述のピン４２２（図３参照）を挿通させた後、孔部５３６６を介してねじＳＣを蓋状部材４２のねじ孔に取り付けることで、取付部材５３、ひいては、固定部材５を蓋状部材４２に固定できる。
【００７１】
［挟持部材の構成］
２つの挟持部材５４は、それぞれ、断面略Ｕ字状を有する板ばねである。これら挟持部材５４のうち、一方の挟持部材５４は、図４及び図８に示すように、開口部５１２２を介して、保持部５１１と、突出部５３２１に形成された貫通孔５３２４を形成するＺ方向基端側の端縁とを挟持する。この挟持部材５４により、取付部材５３に対して偏光板保持部材５１が回動可能に挟持される。
また、他方の挟持部材５４は、図６及び図９に示すように、開口部５２２２を介して、保持部５２１と本体部５３１とを挟持する。この挟持部材５４により、取付部材５３に対して補償板保持部材５２が回動可能に挟持される。
なお、これら挟持部材５４には、略矩形の開口部５４１（図５参照）が形成されており、当該開口部５４１に取付部材５３に形成された突起がそれぞれ挿入されることで、挟持部材５４の抜けが防止される。
【００７２】
［導風部の構成、及び、導風部により導かれる空気の流れ］
図１０は、導風部５３５により導かれる空気の流通方向を説明する図である。
冷却装置９は、図１０に示すように、冷却ファン（図示省略）と、当該冷却ファンから送出された空気を後述する電気光学装置３５の下方に導くダクト９１と、を備えて構成されている。
上記冷却ファンから吐出された空気は、ダクト９１を介して、入射側偏光板３５２及び光学補償板３５３を保持する固定部材５と、液晶パネル３５４と、出射側偏光板３５５（図１０では図示省略）とに導風される。そして、当該空気は、入射側偏光板３５２、光学補償板３５３、液晶パネル３５４及び出射側偏光板３５５に沿ってＹ方向基端側からＹ方向先端側に流通する。
【００７３】
例えば、入射側偏光板３５２の光束入射側に送風された空気は、当該入射側偏光板３５２及び偏光板保持部材５１の光束入射側の面に沿ってＡ１方向に流通する。これにより、当該入射側偏光板３５２と、当該入射側偏光板３５２の熱が伝導される偏光板保持部材５１との光束入射側の面（Ｚ方向基端側の面）が冷却される。
また、入射側偏光板３５２と取付部材５３の第１取付部５３２との間に送風された空気は、これら偏光板保持部材５１と第１取付部５３２との間の空間をＡ２方向に流通する。これにより、入射側偏光板３５２及び偏光板保持部材５１の光束出射側の面が冷却される。なお、この空気は、第１取付部５３２に形成された貫通孔５３２４内を流通して、外部に排出される。
【００７４】
取付部材５３及び補償板保持部材５２におけるＹ方向基端側端部に送風された空気は、Ａ３方向に流通する。具体的に、当該空気は、取付部材５３のＹ方向基端部に形成された導風部５３５に当たり、導風部５３５により、液晶パネル３５４側に導風される。この導風部５３５の傾斜角は、当該導風部５３５より導かれる空気が、当該導風部５３５よりＹ方向先端側に位置するフレーム３５４２の傾斜部３５４５に向かうように設定されている。このため、当該導風部５３５により導かれる空気は、傾斜部３５４５に向かって流通する。
【００７５】
一方、液晶パネル３５４におけるＹ方向基端側に送風された空気は、当該Ｙ方向基端側の端部にて分流され、一部の空気は、Ａ４方向に沿って液晶パネル３５４の光束出射側に向かい、他の一部の空気は、Ａ５方向に沿って液晶パネル３５４の光束入射側に向かう。
これらのうち、Ａ４方向に沿って流通する空気は、通常であれば、Ｙ方向先端側に向かうに従って液晶パネル３５４の光束入射側の端面から離れてしまう。この場合には、液晶パネル３５４を適切に冷却することが難しい。
【００７６】
これに対し、本実施形態に係るプロジェクター１では、Ａ４方向に沿って流通する空気は、傾斜部３５４５近傍にて、Ａ３方向に沿って流通する空気と衝突される。これにより、本来であれば、上記のように液晶パネル３５４から次第に離れるように流通する空気が、Ａ３方向に沿って流通した空気と合流し、液晶パネル３５４の光束入射側の端面に沿ってＢ方向に流通する。これにより、空気の流通方向を液晶パネル３５４の光束入射側の端面に近い位置とすることができ、当該液晶パネル３５４を効果的に冷却できる。
【００７７】
更に、取付部材５３及び補償板保持部材５２におけるＹ方向基端側端部に送風された空気も、当該光束入射側の端面に沿って流通させることができる。従って、液晶パネル３５４に送風される空気量を多くすることができるので、当該液晶パネル３５４を一層効果的に冷却できる。
なお、上記Ａ５方向に沿って流通する空気は、液晶パネル３５４と出射側偏光板３５５との間をＡ６方向に沿って流通する空気と合流される。これにより、液晶パネル３５４の光束出射側の端面（Ｚ方向先端側の端面）が冷却される。
【００７８】
以上説明した本実施形態に係るプロジェクター１によれば、以下の効果がある。
取付部材５３の第１取付部５３２に、偏光板保持部材５１が回動可能に取り付けられ、第１取付部５３２とは反対側に位置する第２取付部５３３に、偏光板保持部材５１とは独立して補償板保持部材５２が回動可能に取り付けられる。これによれば、入射側偏光板３５２を保持する偏光板保持部材５１と、光学補償板３５３を保持する補償板保持部材５２とを、取付部材５３に対してそれぞれ独立して位置調整可能に取り付けることができる。従って、入射側偏光板３５２及び光学補償板３５３の一方を位置調整する場合に他方が動いてしまうことがなく、これら入射側偏光板３５３及び光学補償板３５３の位置調整を容易に実施できる。
【００７９】
取付部材５３の延出部５３６には、当該取付部材５３を光学部品用筐体４の蓋状部材４２の上面に固定する固定部５３６５が設けられている。これによれば、上記光学装置３２〜３４が収納された光学部品用筐体４に取付部材５３を固定することで、当該光学部品用筐体４に後付けで入射側偏光板３５２及び光学補償板３５３を位置調整可能に取り付けることができる。従って、光学部品用筐体４内に取付部材５３を設ける場合に比べ、プロジェクター１の製造工程を簡略化できる。
【００８０】
また、蓋状部材４２の上面に取り付けられた取付部材５３を交換するか、又は、当該上面から取り外された取付部材５３から、対応する保持部材を交換し、当該取付部材５３を蓋状部材４２に再度取り付けることで、入射側偏光板３５２及び光学補償板３５３の少なくともいずれかを交換できる。従って、入射側偏光板３５２及び光学補償板３５３の交換作業を容易に実施できる。
【００８１】
偏光板保持部材５１を回動させるときに操作される突出部５１２４と、補償板保持部材５２を回動させるときに操作される突出部５２２４とは、延出部５３６において同じ側に位置する。すなわち、これら突出部５１２４，５２２４は、延出部５３６における端面５３６Ａ側に露出する。これによれば、偏光板保持部材５１及び補償板保持部材５２の回動操作を、それぞれ延出部５３６における同じ側で実施できる。従って、これら偏光板保持部材５１及び補償板保持部材５２の位置調整操作を容易に実施できる。
【００８２】
第１取付部５３２において、偏光板保持部材５１の回動の中心点Ｃ１を通り、かつ、当該偏光板保持部材５１のＸ方向両端に対応する位置に、第１規制部５３２５が設けられている。また、第２取付部５３３において、補償板保持部材５２の回動の中心点Ｃ２を通り、かつ、当該補償板保持部材５２のＸ方向両端に対応する位置に、第２規制部５３３３が設けられている。これによれば、これら第１規制部５３２５及び第２規制部５３３３により、偏光板保持部材５１及び補償板保持部材５２が回動せずに、第１取付部５３２及び第２取付部５３３に沿ってＸ方向に平行移動してしまうことを規制できる。従って、偏光板保持部材５１及び補償板保持部材５２を回動させやすくすることができ、これら偏光板保持部材５１及び補償板保持部材５２の位置調整操作を容易に実施できる。
【００８３】
第１規制部５３２５において折曲部５１１３及び突出部５１１４に対向する面は、凸曲面状に形成され、当該突出部５１１４において第１規制部５３２５に対向する面は、平面状に形成されている。これによれば、第１規制部５３２５と突出部５１１４とが互いに当接した場合に、凸曲面状部分に沿って平面状部分が円滑に移動するので、偏光板保持部材５１を回動させやすくすることができる。また、このような第１規制部５３２５及び突出部５１１４の形成は、一方を凸曲面状とし、他方を凹曲面状とする場合に比べて容易である。従って、偏光板保持部材５１のＸ方向に沿う平行移動を防止しつつ、当該偏光板保持部材５１の回動を実施しやすくすることができる。
なお、第２規制部５３３３において補償板保持部材５２に対向する面を平面状とし、当該補償板保持部材５２において第２規制部５３３３と対向する端部を凸曲面状に形成したことによっても、同様に、補償板保持部材５２のＸ方向に沿う平行移動を防止しつつ、当該補償板保持部材５２の回動を実施しやすくすることができる。
【００８４】
折曲部５１１３及び突出部５１１４を凸曲面状とせず、これらに対向する第１規制部５３２５の面を凸曲面状としたことにより、凸曲面の精度を高めることができる。また、折曲部５１１３及び突出部５１１４において第１規制部５３２５に対向する面を平面状としたことで、上記のように、偏光板保持部材５１の回動を実施しやすくすることができる。従って、当該偏光板保持部材５１の回動を安定して実施できる。
また、偏光板保持部材５１が折曲部５１１３及び突出部５１１４を有することにより、第１取付部５３２、折曲部５１１３及び突出部５１１４、並びに、保持部５１１により囲まれた空間内に、入射側偏光板３５２を冷却する空気が流通する流路（Ａ２方向に沿って流通する空気の流路）を形成できる。これによれば、当該流路に空気を流通させることで、入射側偏光板３５２に効果的に空気を送風できる。従って、入射側偏光板３５２を効果的に冷却できる。
【００８５】
取付部材５３のＹ方向基端部に導風部５３５が設けられていることにより、当該取付部材５３に対してＹ方向基端側から流通する空気を、液晶パネル３５４に導くことができる。従って、液晶パネル３５４に送風される空気の流量を多くすることができ、当該液晶パネル３５４の冷却効率を高めることができる。
【００８６】
導風部５３５は、液晶パネル３５４におけるＹ方向基端側の端部よりＹ方向基端側に位置し、ダクト９１に対しより近い位置で、送風された空気を液晶パネル３５４に導く。これによれば、空気を効果的に液晶パネル３５４に導風できる他、取付部材５３に向かって流通した空気も効果的に液晶パネル３５４に導風できる。従って、液晶パネル３５４の冷却効率を向上できる。
特に、導風部５３５により導風された空気は、フレーム３５４２におけるＹ方向基端部に形成された傾斜部３５４５に向かって流通する。これによれば、当該空気を、当該フレーム３５４２におけるＹ方向基端側の端部（空気の流通方向における上流側の端部）にて分断された空気のうち、光学補償板３５３側（液晶パネル３５４の光束入射側）を流通する空気、すなわち、Ａ４方向に沿って流通する空気に衝突させることができる。このため、当該空気及び導風された空気を、液晶パネル３５４の光束入射側の端面に近い位置で、当該端面に沿って流通させることができる。従って、液晶パネル３５４をより効果的に冷却できる。
【００８７】
ピン５３２３が挿入されるガイド孔５１１５により、偏光板保持部材５１の回動方向及び範囲が規定されるので、第１取付部５３２の第１摺動面５３２２に沿う偏光板保持部材５１の回動を実施しやすくすることができる。ピン５３３２が挿入されるガイド孔５２１３によっても、同様に、第２取付部５３３の第２摺動面５３３１に沿う補償板保持部材５２の回動を実施しやすくすることができる。
【００８８】
［実施形態の変形］
本発明は前述の実施形態に限定されるものではなく、本発明の目的を達成できる範囲での変形、改良等は本発明に含まれるものである。
前記実施形態では、第１光学部品として入射側偏光板３５２を例示し、第２光学部品として光学補償板３５３を例示したが、本発明はこれに限らない。例えば、他の光学特性を有する光学部品を、第１光学部品及び第２光学部品として採用してもよい。例えば、コントラストを向上させる光学補償板に代えて、偏光方向を調整する位相差板を採用してもよい。また、光学補償板３５３を液晶パネル３５４の後段に配置し、取付部材５３に、当該光学補償板３５３を保持する補償板保持部材５２と、出射側偏光板３５５を保持する偏光板保持部材５１とを取り付ける構成としてもよい。
【００８９】
前記実施形態では、取付部材５３の延出部５３６には、光学部品用筐体４を構成する蓋状部材４２の上面に固定される固定部５３６５を有するとしたが、本発明はこれに限らない。すなわち、取付部材５３が取り付けられる位置は、蓋状部材４２の上面に限定されるものではない。例えば、取付部材５３の取付位置としては、光学部品用筐体４の他の側面でもよく、外装筐体２内の所定位置であってもよい。更に、延出部５３６に固定部５３６５は無くてもよく、本体部５３１に設けられていてもよい。
【００９０】
前記実施形態では、操作部５１２は、延出部５３６に対してＹ方向先端側に位置し、操作部５２２は、延出部５３６に対してＹ方向基端側に位置するとしたが、本発明はこれに限らない。すなわち、延出部５３６は無くてもよく、操作部５１２と操作部５２２とが互いに反対方向に延出していてもよい。例えば、操作部５１２は、Ｚ方向基端側に延出し、操作部５２２は、Ｚ方向先端側に延出していてもよい。
また、それぞれの操作部５１２，５２２に突出部５１２４，５２２４は無くてもよく、特殊な治具により操作部５１２，５２２が操作される構成としてもよい。
【００９１】
前記実施形態では、第１取付部５３２における第１規制部５３２５の形成位置は、偏光板保持部材５１の回動の中心点Ｃ１を通り、かつ、Ｘ方向に沿う直線上に位置するとしたが、本発明はこれに限らない。すなわち、偏光板保持部材５１のＸ方向に沿う平行移動を規制できれば、当該第１規制部５３２５の形成位置は問わない。第２取付部５３３における第２規制部５３３３の形成位置も同様である。
【００９２】
前記実施形態では、第１規制部５３２５における折曲部５１１３及び突出部５１１４に対向する面を凸曲面状とし、当該折曲部５１１３及び突出部５１１４における第１規制部５３２５に対向する面を平面状としたが、本発明はこれに限らない。すなわち、偏光板保持部材５１の照明光軸Ａｘを中心とする回動を可能とし、かつ、当該偏光板保持部材５１のＸ方向に沿う平行移動を規制できれば、当該各面の形状は問わない。
第２規制部５３３３における補償板保持部材５２に対向する面、及び、補償板保持部材５２における第２規制部５３３３に対向する端面の形状についても同様である。
【００９３】
前記実施形態では、偏光板保持部材５１は折曲部５１１３を有し、補償板保持部材５２は折曲部を有さない構成としたが、本発明はこれに限らない。すなわち、これら各保持部材５１，５２が折曲部を有する構成としてもよく、折曲部を有さない構成としてもよい。例えば、偏光板保持部材５１における保持部５１１の光束入射側の端面に、入射側偏光板３５２が保持される構成としてもよい。
【００９４】
前記実施形態では、取付部材５３におけるＹ方向基端側の端部には、導風部５３５が設けられているとしたが、本発明はこれに限らない。すなわち、導風部５３５は無くてもよく、また、導風部５３５の位置も、Ｙ方向基端側の端部に限らず、他の位置でもよい。
また、当該導風部５３５が導風する空気の方向は、フレーム３５４２の傾斜部３５４５であるとしたが、本発明はこれに限らず、冷却対象である液晶パネル３５４に空気を導風できれば、他の方向であってもよい。
【００９５】
前記実施形態では、偏光板保持部材５１及び補償板保持部材５２にそれぞれ２つのガイド孔５１１５，５２１３を形成し、第１取付部５３２及び第２取付部５３３に、それぞれガイド孔５１１５，５２１３に挿入されるピン５３２３，５３３２を設けた。しかしながら、本発明はこれに限らない。すなわち、ガイド孔及びピンの数は、１つでもよく、３つ以上でもよい。また、保持部材５１，５２がピンを有し、第１取付部５３２及び第２取付部５３３がガイド孔を有する構成としてもよい。
【００９６】
前記実施形態では、プロジェクター１は、３つの液晶パネル３５４を備えるとしたが、本発明はこれに限らない。すなわち、２つ以下、あるいは、４つ以上の液晶パネルを用いたプロジェクターにも、本発明を適用可能である。
前記実施形態では、光学ユニット３は平面視略Ｌ字形状を有した構成を説明したが、これに限らず、例えば、平面視略Ｕ字形状を有した構成を採用してもよい。
前記実施形態では、光束入射面と光束射出面とが異なる透過型の液晶パネル３５４を用いていたが、光入射面と光射出面とが同一となる反射型の液晶パネルを用いてもよい。
【００９７】
前記実施形態では、光変調装置として液晶パネル３５４を備えたプロジェクター１を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクターにも、本発明を適用することも可能である。このような光変調装置を用いた場合、偏光板３５２，３５５は省略できる。
【産業上の利用可能性】
【００９８】
本発明は、プロジェクターに好適に利用できる。
【符号の説明】
【００９９】
１…プロジェクター、４…光学部品用筐体、３１…光源装置、３２…照明光学装置（他の光学部品）、３３…色分離光学装置（他の光学部品）、３４…リレー光学装置（他の光学部品）、３６…投射レンズ（投射光学装置）、５１…偏光板保持部材（第１保持部材）、５２…補償板保持部材（第２保持部材）、５３…取付部材、３５２…入射側偏光板（第１光学部品）、３５３…光学補償板（第２光学部品）、３５４…液晶パネル（光変調装置）、５１１…保持部、５１２…操作部（第１操作部）、５２２…操作部（第２操作部）、５３１…本体部、５３２…第１取付部、５３３…第２取付部、５３５…導風部、５３６…延出部、３５４１…パネル本体（装置本体）、３５４２…フレーム、３５４５…傾斜部、５１１３…折曲部、５２２４…突出部、５３２５…第１規制部、５３３３…第２規制部、５３６４…開口部、５３６５…固定部。
【図１】
2014085369.tif 000003
【図２】
2014085369.tif 000004
【図３】
2014085369.tif 000005
【図４】
2014085369.tif 000006
【図５】
2014085369.tif 000007
【図６】
2014085369.tif 000008
【図７】
2014085369.tif 000009
【図８】
2014085369.tif 000010
【図９】
2014085369.tif 000011
【図１０】
2014085369.tif 000012